(57)【要約】【課題】  ハードディスク駆動機構の自励振動等を効果的に吸収する。【解決手段】  情報記憶装置としてのＨＤＤ（ハードディスクドライブ）２１は、記録媒体２２及び該記録媒体２２に対する情報の記録再生手段２３を備えたハードディスク駆動機構２４と、前記ハードディスク駆動機構２４を収容した第１の筐体２５と、前記第１の筐体２５を収容した第２の筐体２６と、を備えていて、前記第１の筐体２５と前記第２の筐体２６との間にインシュレーター１Ａが介在されている。前記インシュレーター１Ａは、共振周波数の異なる第１,第２の緩衝部材１１Ａ，１２Ａを積層することにより構成されている。【選択図】  図４
2006164459.tif 000002
【特許請求の範囲】
【請求項１】
電子部品と電子部品支持体との間に介在されていて前記電子部品の振動を吸収する電子機器のインシュレーターであって、
前記インシュレーターは、共振周波数の異なる２種類以上の緩衝部材を積層することにより構成されていることを特徴とする電子機器のインシュレーター。
【請求項２】
電子機器本体に取付けられて使用される情報記憶装置であって、
記録媒体及び該記録媒体に対する情報の記録再生手段を備えたハードディスク駆動機構と、前記ハードディスク駆動機構を収容した第１の筐体と、前記第１の筐体を収容した第２の筐体と、前記第１の筐体と前記第２の筐体との間に介在されたインシュレーターと、を備え、
前記インシュレーターは、共振周波数の異なる２種類以上の緩衝部材を積層することにより構成されていることを特徴とする情報記憶装置。
【請求項３】
前記ハードディスク駆動機構の記録再生手段は、前記記録媒体に対する情報の記録・再生を行う磁気ヘッドと、該磁気ヘッドを支持しているヘッドアームと、該ヘッドアームを軸を中心に回動させて前記磁気ヘッドを前記記録媒体の半径方向に移動させるアクチュエータと、を備え、前記第１の筐体と前記第２の筐体との間には前記ヘッドアームの回動方向への衝撃を吸収するインシュレーターが配置されていることを特徴とする請求項２に記載の情報記憶装置。
【請求項４】
請求項１のインシュレーターを備えていて、該インシュレーターで内蔵されている電子部品を衝撃や振動から保護していることを特徴とする電子機器。
【請求項５】
請求項２の情報記憶装置を備えていることを特徴とする電子機器。
【発明の詳細な説明】
【技術分野】
【０００１】
本発明は、携帯型電子機器のインシュレーター、特にハードディスクドライブ等の衝撃や振動に弱い電子部品を衝撃から保護するインシュレーター、該インシュレーターを使用したハードディスクドライブ等の情報記憶装置及び前記インシュレーターや情報記憶装置を使用した電子機器に関する。
【背景技術】
【０００２】
衝撃や振動に弱い電子部品、例えばハードディスクドライブ等の情報記憶装置を使用する電子機器には、前記電子部品としてのハードディスクドライブを衝撃や振動から保護するためにインシュレーターが使用されている。
【０００３】
図１２は、情報記憶装置としてのハードディスクドライブの一例を示す。ハードディスクドライブ（以下、ＨＤＤと称する）１０１は、破線で示す記録媒体１０２及び該記録媒体１０２に対する情報の記録再生手段１０３からなるハードディスク駆動機構１０４を収容した第１の筐体１０５と、前記第１の筐体１０５を収容した第２の筐体１０６と、を備えていて、前記第２の筐体１０６を、ばね定数の異なる複数の第１、第２のインシュレーター１０７…１０７、１０８…１０８によって、前記第１の筐体１０５内に支持している。
【０００４】
ところで、前記ＨＤＤ１０１に使用される磁気ディスク等の記録媒体の記録密度は、年々向上し、これに伴ってディスクの高速回転化し、動作時における自励振動の問題が発生した。即ち、ディスクを高速回転させるべく前記ハードディスク駆動機構１０４のスピンドルを高速回転させたり、或いは磁気ヘッドのシーク動作等によって、前記ハードディスク駆動機構１０４に所謂自励振動が発生して、シーク時間が長くなる等のＨＤＤの性能低下を招く原因になっていた。
【０００５】
そこで、従来は、前記第１、第２のインシュレーター１０７…１０７、１０８…１０８のうち、相対的ばね定数の小さい第１のインシュレーター１０７…１０７で外部から第１の筐体１０５に加わる衝撃を吸収し、ばね定数の大きい第２のインシュレーター１０８…１０８で前記自励振動を抑制していた。（例えば特許文献１参照）。
【特許文献１】特開２００４−１２７４３８号公報
【発明の開示】
【発明が解決しようとする課題】
【０００６】
ところで、従来は、前記第１、第２のインシュレーター１０７、１０８を一種類（単一）の素材（材料）で、かつ単層に形成していたために、次に述べるような問題点があった。
（１）前記インシュレーターに使用する素材は、固有の共振点を持つ。従って、インシュレーターとして使用する場合には、共振点を避けるか、或いは共振が起こった場合にはそれ自身で減衰させる必要がある。
（２）共振周波数を小さくする（低く抑える）ためには、ばね定数を小さくしなければならず、インシュレーターのばね定数を小さくするために肉厚を厚くすると、その分、ＨＤＤ全体が厚くなって、小型化、薄肉化の要望に逆行した結果になる。また、ＨＤＤが厚くなると、これを使用する電子機器も必然的に大型になる。
【０００７】
本発明は、前記自励振動等による共振の発生をアクティブに抑制することのできるインシュレーター及び該インシュレーターを使用した使用した薄肉のＨＤＤ及び該ＨＤＤを使用した小型の電子機器を提供することを目的になされたものである。
【課題を解決するための手段】
【０００８】
請求項１の発明は、電子部品と電子部品支持体との間に介在されていて前記電子部品にかかる振動を吸収する電子機器のインシュレーターであって、前記インシュレーターを、共振周波数の異なる２種類以上の緩衝部材を積層することにより構成した。
【０００９】
請求項２の発明は、電子機器本体に対して着脱自在な情報記憶装置であって、該情報記憶装置を、記録媒体及び該記録媒体に対する情報の記録再生手段を備えたハードディスク駆動機構と、前記ハードディスク駆動機構を収容した第１の筐体と、前記第１の筐体を収容した第２の筐体と、前記第１の筐体と前記第２の筐体との間に介在されたインシュレーターと、で構成すると共に、前記インシュレーターを、共振周波数の異なる２種類以上の緩衝部材を積層することにより構成した。
【００１０】
請求項３の発明は、請求項２の情報記憶装置において、前記ハードディスク駆動機構の記録再生手段を、前記記録媒体に対する情報の記録・再生を行う磁気ヘッドと、該磁気ヘッドを支持しているヘッドアームと、該ヘッドアームを軸を中心に回動させて前記磁気ヘッドを前記記録媒体の半径方向に移動させるアクチュエータと、で構成すると共に、前記第１の筐体と前記第２の筐体との間に前記ヘッドアームの回動方向への衝撃を吸収するインシュレーターを配置した。
【００１１】
請求項４の発明は、電子機器において、該機器に内蔵されている電子部品の緩衝材として請求項１のインシュレーターを使用した。
【００１２】
請求項５の発明は、電子機器において、該機器に内蔵されている情報記憶装置として請求項２の情報記憶装置を使用した。
【発明の効果】
【００１３】
請求項１のインシュレーターは、共振点（共振周波数）の異なる２種類以上の緩衝部材を積層して構成したので、一の緩衝部材が他の緩衝部材の共振点を打ち消すように作用して、共振をアクティブに減衰させることができる。これによりインシュレーターを単層のものに比べて薄くすることができる。
【００１４】
請求項２の情報記憶装置は、前記第１の筐体と前記第２の筐体との間に介在されたインシュレーターを、共振点（共振周波数）の異なる２種類以上の緩衝部材を積層して構成したので、一の緩衝部材が他の緩衝部材の共振点を打ち消すように作用して、共振をアクティブに減衰させて、前記ハードディスク駆動機構の自励振動を効果的に抑制する。
【００１５】
請求項３の情報記憶装置は、前記第１の筐体と前記第２の筐体との間に、ヘッドアームの回動方向への衝撃を吸収するインシュレーターを配置したので、前記衝撃等によりヘッドアームが不必要に動くのを阻止する。
【００１６】
請求項４の電子機器は、該機器に内蔵されている電子部品の緩衝部材として請求項１のインシュレーターを使用したので前記電子部品衝撃や振動から効果的に保護する。
【００１７】
請求項５の電子機器は、電子機器に内蔵されている情報記憶装置として請求項２の情報記憶装置を使用したので、ハードディスク駆動機構の自励振動を効果的に吸収して、自励振動によってハードディスク駆動機構の磁気ヘッドのシーク時間が長くなるのを防止する等して、電子機器の性能を向上させることができる。
【発明を実施するための最良の形態】
【００１８】
図１、図２は本発明のインシュレーター１の実施例を示す。図１はインシュレーター１の使用状態を示す斜視図、図２はインシュレーター１の分解斜視図である。図１に示すように、前記インシュレーター１は、例えば電子部品としてのＨＤＤ（ハードディスクドライブ）２と電子機器のＨＤＤ支持体３との間に介在されていて前記ＨＤＤ２にかかる衝撃や振動を吸収する。
【００１９】
前記インシュレーター１は、共振点（共振周波数）の異なる第１,第２の緩衝部材１１，１２を積層することにより構成されている。図２に示すように、前記第１の緩衝部材１１は、矩形の枠状に形成されていて、前記ＨＤＤ２の外周縁部を覆うように取付けられている。また、前記第２の緩衝部材１２は、略四角形に形成されていて、前記第１の緩衝部材１１を覆うようにして、前記ＨＤＤ２の四隅部に、前記第１の緩衝部材１１上に重ね合わせた状態で取付けられる。そして、外部からの衝撃や振動は、前記第２の緩衝部材１２および前記第１の緩衝部材１１を介して前記ＨＤＤ２に伝達されると共に、前記ＨＤＤ２自身が発する自励振動を前記第１の緩衝部材１１および前記第２の緩衝部材１２で吸収する。
【００２０】
前記第１,第２の緩衝部材１１，１２は、エラストマ・ゴム、発泡ウレタン等の発泡性材料、板ばね等の弾性を持たせた金属、合成樹脂等によって形成されている。
【００２１】
前記第１の緩衝部材１１を、例えば図３に実線で示すような共振点を有する材料で形成した場合には、前記第２の緩衝部材１２は、図３に破線で示すように、前記第１の緩衝部材１１と共振点を異にする材料で形成する。これによって、前記第１の緩衝部材１１の共振点は、前記第２の緩衝部材１２によってアクティブに減衰され、図３に２点鎖線で示す共振点を低く抑えられた共振特性を有するインシュレーター１が構成されることになる。なお、上記実施例においては、電子部品として、自励振動を発するＨＤＤ２の振動をインシュレーター１で抑制する場合を示したが、電子部品が自励振動を発しないものである場合には、インシュレーター１は、専ら外部からの衝撃や振動を抑制することを考慮して設計されるが、この場合においても、前記インシュレーター１は、共振周波数の異なる第１, 第２の緩衝部材１１,１２を積層することにより構成される。なお、上記実施例では第１, 第２の緩衝部材１１,１２の２つの緩衝部材を重ね合わせてインシュレーター１を構成した場合を示したが共振特性の異なる３つ以上の緩衝部材を重ね合わせてインシュレーター１を構成しても良い。
【００２２】
図４〜図１１はインシュレーター１Ａを内蔵した情報記憶装置２１の実施例を示す。図４は情報記憶装置２１の横断面図、図５は図４のＡ−Ａ断面図である。前記情報記憶装置２１は、図４に破線で示すように、記録媒体２２及び該記録媒体２２に対する情報の記録再生手段２３を備えたハードディスク駆動機構２４と、前記ハードディスク駆動機構２４を収容した第１の筐体２５と、前記第１の筐体２５を収容した第２の筐体２６と、を備えていて、前記第１の筐体２５と前記第２の筐体２６との間にインシュレーター１Ａが介在されていて、インシュレーター内蔵型のＨＤＤ（ハードディスクドライブ）として構成されている。
【００２３】
前記記録再生手段２３は、前記記録媒体２に対する情報の記録・再生を行う磁気ヘッド２３ａと、該磁気ヘッド２３ａを支持しているヘッドアーム２３ｂと、該ヘッドアーム２３ｂを軸２３ｃを中心に回動させて前記磁気ヘッド２３ｂを前記記録媒体２の半径方向に移動させるアクチュエータ２３ｄと、を備えている。
【００２４】
前記インシュレーター１Ａは、前記インシュレーター１と同様に、共振周波数の異なる第１,第２の緩衝部材１１Ａ，１２Ａを積層することにより構成されている。前記第１の緩衝部材１１Ａは、矩形の枠状に形成されていて、前記第１の筐体２５の外周縁部を覆うように取付けられている。また、前記第２の緩衝部材１２Ａは、略四角形に形成されていて、前記第１の緩衝部材１１Ａを覆うようにして、前記第１の筐体２５の四隅部に、前記第１の緩衝部材１２Ａ上に重ね合わせた状態で取付けられている。そして、前記ハードディスク駆動機構２４のスピンドルモータや磁気ヘッドのシーク時などに発生する自励振動を前記第１の筐体２５と前記第２の筐体２６との間において、前記第１,第２の緩衝部材１１Ａ，１２Ａからなるインシュレーター１Ａで吸収、減衰するようになっている。
【００２５】
なお、前記第２の緩衝部材１２Ａが薄肉で、且つ硬質の樹脂材料で形成されている場合には、図６に示すように、第２の筐体２６の内面に樹脂インク等をコーティングして前記第２の緩衝部材１２Ａを形成しても良い。また、図７に示すように、前記第１の緩衝部材１１Ａの外面の全体に２色成形により第２の緩衝部材１２Ａを形成しても良い。また、図８に示すように、前記第１の緩衝部材１１Ａの外面の一部に、第２の緩衝部材１２Ａを形成しても良い。前記第２の緩衝部材１２Ａは、前記第１の緩衝部材１１Ａの一部の肉厚を厚くすることにより形成しても良い。
【００２６】
図４に示すように、前記記録再生手段２３のヘッドアーム２３ｂは、軸２３ｃを中心にして矢印ａ方向に回動して、前記記録媒体２に対する情報の記録・再生を行う構成になっているので、前記矢印ａ方向に対する衝撃に弱い。そこで、図９に示すように、前記ヘッドアーム２３ｂの回動方向に前記第１,第２の緩衝部材１１Ａ，１２Ａよりもばね定数の大きな第３の緩衝部材３１を配置して、前記ヘッドアーム２３ｂの回動方向への衝撃を吸収、緩和する構成にしても良い。
【００２７】
また、図１０に示すように、前記第２の筐体２６の外周部に前記第１,第２の緩衝部材１１Ａ，１２Ａよりもばね定数の大きな第４の緩衝部材４１を取付け、該第４の緩衝部材４１を介して前記情報記憶装置２１を電子機器本体に取付けることにより、外部からの衝撃を前記第４の緩衝部材４１で吸収し、前記ハードディスク駆動機構２４のスピンドルモータや磁気ヘッドのシーク時などに発生する自励振動を前記第１,第２の緩衝部材１１Ａ，１２Ａからなるインシュレーター１Ａで吸収、減衰するようにしても良い。
【００２８】
なお、図１１に示すように、前記情報記憶装置２１の一側部には、コネクタ３０が設けられていて、前記情報記憶装置２１は、前記コネクタ３０を介して、電子機器に接続して使用される。また、本発明のインシュレーター１や情報記憶装置２１を使用したテレビ等の映像機器、ミュージックプレーヤー等のオーディオ機器、或いはパーソナルコンピュータや携帯モバイル等の情報処理装置やマルチメディア装置等の電子機器は、ＨＤＤの自励振動を効果的に吸収して、自励振動が磁気ヘッドのシークに悪影響を及ぼすのを防止することができる。
【図面の簡単な説明】
【００２９】
【図１】本発明のインシュレーターの使用状態を示す斜視図。
【図２】本発明のインシュレーターの分解斜視図。
【図３】共振特性図。
【図４】本発明の情報記憶装置の横断面図。
【図５】図４のＡ−Ａ断面図。
【図６】本発明の情報記憶装置の他の実施例の断面図。
【図７】本発明の情報記憶装置の他の実施例の断面図。
【図８】本発明の情報記憶装置の他の実施例の要部の断面図。
【図９】本発明の情報記憶装置の他の実施例の断面図。
【図１０】本発明の情報記憶装置の他の実施例の断面図。
【図１１】本発明の情報記憶装置の斜視図。
【図１２】従来例の説明図。
【符号の説明】
【００３０】
１…インシュレーター、２…ハードディスク（電子部品）、３…ハードディスク支持体（電子部品支持体）、１１，１１Ａ…第１の緩衝部材、１２，１２Ａ…第２の緩衝部材、２１…情報記憶装置、２２…記録媒体、２３…情報の記録再生手段、２３ａ…磁気ヘッド、２３ｂ…ヘッドアーム、２３ｃ…軸、２３ｄ…アクチュエータ、２４…ハードディスク駆動機構、２５…第１の筐体、２６…第２の筐体。
【図１】
2006164459.tif 000003
【図２】
2006164459.tif 000004
【図３】
2006164459.tif 000005
【図４】
2006164459.tif 000006
【図５】
2006164459.tif 000007
【図６】
2006164459.tif 000008
【図７】
2006164459.tif 000009
【図８】
2006164459.tif 000010
【図９】
2006164459.tif 000011
【図１０】
2006164459.tif 000012
【図１１】
2006164459.tif 000013
【図１２】
2006164459.tif 000014